(57)【特許請求の範囲】
【請求項１】
地上に設けられている構造物を支持すべく一端が構造物に取り付けられ、他端が地中に延出し、地中内において地中埋設物である固定用支持物に取り付けられる支持手段が地中内において固定用支持物に所定の深さで適確に取り付けられているか否かを探査する地中埋設物探査ツールであって、
地中に延出している前記支持手段に沿って地中に突き刺さって地中奥に進入し得るように尖った先端を有する探査棒と、
この探査棒の先端の先端部に続く長手軸を覆うように設けられ、先端が探査棒の先端部の後端の鍔部に当接し得るように構成されている筒状のガイドパイプと、
このガイドパイプに対してその長手方向にスライド移動し得るように設けられ、ガイドパイプの長手方向に沿って探査棒の先端方向に向かって移動するように押動された場合、ガイドパイプを探査棒の先端方向に押圧し、この押圧で探査棒をその先端の先端部から地中奥へ進入させるように構成されているスライド押圧手段と、
前記探査棒の先端部に近接した前記ガイドパイプの先端近傍においてガイドパイプに取り付けられる環状ガイド部材であって、前記支持手段の探査に当たっては支持手段を当該環状ガイド部材で囲むように環状ガイド部材内に収容して保持し、これによりスライド押圧手段の押動によるガイドパイプの押圧を介して探査棒をその先端の先端部から地中奥へ押圧する場合に探査棒を支持手段に沿って地中奥へ案内する環状ガイド部材と
を有することを特徴とする地中埋設物探査ツール。
【請求項２】
前記探査棒は、前記ガイドパイプおよびスライド押圧手段を貫通して上方に延出して、押込み機械装置が取り付けられる延出部であって、この延出部に押込み機械装置を取り付けた場合、探査棒をその先端の先端部から地中奥に押し込めるような押込み力を押込み機械装置から作用させることができる延出部を有することを特徴とする請求項１記載の地中埋設物探査ツール。
【請求項３】
前記環状ガイド部材は、前記支持手段の形状に合わせて支持手段を囲んで収容し得るように対応可能に構成されていることを特徴とする請求項１記載の地中埋設物探査ツール。
【請求項４】
前記探査棒の先端の先端部が地中に押し込められた場合の該先端部の深度を表す深度目盛りを有することを特徴とする請求項１記載の地中埋設物探査ツール。
【請求項５】
地上に設けられている構造物を支持すべく一端が構造物に取り付けられ、他端が地中に延出し、地中内において地中埋設物である固定用支持物に取り付けられる支持手段が地中内において固定用支持物に所定の深さで適確に取り付けられているか否かを請求項１乃至４のいずれか１項に記載の地中埋設物探査ツールを用いて探査する地中埋設物探査方法であって、
地中に延出している前記支持手段または支持手段に接続されている固定用支持物の一部の地中との境界部の側近の地中に対して前記地中埋設物探査ツールの探査棒の先端の先端部を前記ガイドパイプが支持手段または支持手段に接続されている固定用支持物の一部に対してほぼ平行となるように突き立て、
このほぼ平行となったガイドパイプに取り付けられている前記環状ガイド部材内に前記支持手段または支持手段に接続されている固定用支持物の一部を囲むように環状ガイド部材内に収容して保持し、
前記スライド押圧手段をガイドパイプの長手方向に沿って往復移動させる動作においてスライド押圧手段を探査棒の先端方向に向かって移動させるように押動した場合、スライド押圧手段がガイドパイプを探査棒の先端方向に向かって押圧し、この押圧で探査棒をその先端の先端部から地中奥に進入させ、
この探査棒が地中奥に進入する過程において探査棒の先端の先端部が地中において固定用支持物と衝突したことによる衝撃を受けたことを探査棒の振動から感得して固定用支持物を検出すること
を特徴とする地中埋設物探査方法。
【請求項６】
前記探査棒の先端の先端部の固定用支持物との衝突時点の該先端部の深度を前記深度目盛りから読み取ることにより、固定用支持物の埋設深度を推定することを特徴とする請求項５記載の地中埋設物探査方法。
【発明の詳細な説明】
【０００１】
【発明の属する技術分野】
本発明は、地上に設けられている例えば電柱などの構造物を支線ロッドなどの支持手段を介して支持している例えば支線アンカや支線ブロックなどの固定用支持物である地中埋設物を探査する地中埋設物探査ツールおよび該ツールを用いた地中埋設物探査方法に関し、更に詳しくは、地上に設けられている構造物を支持すべく一端が構造物に取り付けられ、他端が地中に延出し、地中内において固定用支持物に取り付けられる支持手段が地中内において固定用支持物に所定の深さで適確に取り付けられているか否かを探査する地中埋設物探査ツールおよび該ツールを用いた地中埋設物探査方法に関する。
【０００２】
【従来の技術】
地上に設けられている構造物である電柱は、例えば図７または図８に示すように、電柱７１の上方に支線ロッド７３の一端を取り付け、この支線ロッド７３の他端を地中７５に埋設された支線アンカ７７または支線ブロック７９に取り付けることにより堅固に固定されている。なお、支線アンカ７７は、案内板７７ａ、抵抗板７７ｂ、および安定板７７ｃから構成され、また支線ブロック７９は、コンクリートから構成されている。
【０００３】
電柱７１が通信ケーブルなどを適確に支持し、倒れないように堅固に地上に立てられているためには、電柱７１を支持している支線ロッド７３が取り付けられている支線アンカ７７や支線ブロック７９が地中７５内に所定の深さで埋設されていることが必要である。例えば、支線アンカ７７や支線ブロック７９の地中７５内における埋設深度が適当でなく、例えば浅いと支線ロッド７３で電柱７１を適確に支持できないことになる。
【０００４】
従って、支線ロッド７３の他端が取り付けられている支線アンカ７７や支線ブロック７９の地中７５内における埋設深度を検査し、この埋設深度が所定の値に適確になっているか否かを調べることが重要である。
【０００５】
従来、このような支線アンカ７７や支線ブロック７９の埋設深度を測定する方法として、電磁波の反射を利用する方法や、例えば実用新案登録第３０６６１３７号公報に開示されているように探査棒Ｘの先端に取り付けた樋状または半割円筒状のガイド部３の内面を探査対象物に沿うように押し込み、引っ掛かりの有無を感得することにより埋設深度を知得する方法などがある。
【０００６】
【発明が解決しようとする課題】
上述した従来の方法のうち、電磁波の反射を利用する方法は、探索対象物の形状や、埋設された箇所の土質によっては、検知性能が不確実であり、支線アンカなどを適確に検知することができないことがあるという問題があるとともに、更に電磁波の反射データを解析するには高度な技術や熟練を有し、誰でもがすぐにできるというものではないという問題もある。
【０００７】
一方、前記実用新案登録に開示されている方法は、ガイド部３が樋状または半割円筒状に形成されているため、探索対象物に向かう所望の進路から外れやすく、探索対象物に向かって地中を適確に進行させて探索することが困難であるという問題がある。
【０００８】
本発明は、上記に鑑みてなされたもので、その目的とするところは、地中に埋設されている地中埋設物に向かって迅速かつ効率的に地中を進行して地中埋設物を適確に探査し得る地中埋設物探査ツールおよび該ツールを用いた地中埋設物探査方法を提供することにある。
【０００９】
【課題を解決するための手段】
上記目的を達成するため、請求項１記載の本発明は、地上に設けられている構造物を支持すべく一端が構造物に取り付けられ、他端が地中に延出し、地中内において地中埋設物である固定用支持物に取り付けられる支持手段が地中内において固定用支持物に所定の深さで適確に取り付けられているか否かを探査する地中埋設物探査ツールであって、地中に延出している前記支持手段に沿って地中に突き刺さって地中奥に進入し得るように尖った先端を有する探査棒と、この探査棒の先端の先端部に続く長手軸を覆うように設けられ、先端が探査棒の先端部の後端の鍔部に当接し得るように構成されている筒状のガイドパイプと、このガイドパイプに対してその長手方向にスライド移動し得るように設けられ、ガイドパイプの長手方向に沿って探査棒の先端方向に向かって移動するように押動された場合、ガイドパイプを探査棒の先端方向に押圧し、この押圧で探査棒をその先端の先端部から地中奥へ進入させるように構成されているスライド押圧手段と、前記探査棒の先端部に近接した前記ガイドパイプの先端近傍においてガイドパイプに取り付けられる環状ガイド部材であって、前記支持手段の探査に当たっては支持手段を当該環状ガイド部材で囲むように環状ガイド部材内に収容して保持し、これによりスライド押圧手段の押動によるガイドパイプの押圧を介して探査棒をその先端の先端部から地中奥へ押圧する場合に探査棒を支持手段に沿って地中奥へ案内する環状ガイド部材とを有することを要旨とする。
【００１０】
請求項１記載の本発明にあっては、地中埋設物探査ツールは地中に突き刺さる先端部を有する探査棒の長手軸を覆うようにガイドパイプが設けられ、このガイドパイプに対してスライド移動し得るようにスライド押圧手段が設けられるとともに、ガイドパイプの先端近傍には環状ガイド部材が取り付けられ、この環状ガイド部材で支持部材を囲むように収容して保持しながらスライド押圧手段の押動によるガイドパイプの押圧を介して探査棒をその先端の先端部から地中奥へ押圧する場合に環状ガイド部材が探査棒を支持手段に沿って地中奥へ案内するように構成されているため、この地中埋設物探査ツールで地中埋設物を探査した場合には地中埋設物探査ツールが地中埋設物に向かう所望の進路から外れることがなく、地中埋設物に向かって地中を適確に進行することができ、地中埋設物を迅速かつ効率的に検出することができ、ひいては地中埋設物が所定の深さで適確に取り付けられているか否かを判定することができる。
【００１１】
また、請求項２記載の本発明は、請求項１記載の発明において、前記探査棒が、前記ガイドパイプおよびスライド押圧手段を貫通して上方に延出して、押込み機械装置が取り付けられる延出部であって、この延出部に押込み機械装置を取り付けた場合、探査棒をその先端の先端部から地中奥に押し込めるような押込み力を押込み機械装置から作用させることができる延出部を有することを要旨とする。
【００１２】
請求項２記載の本発明にあっては、押込み機械装置を用いることにより、探査棒をその先端の先端部から地中奥に押し込めるような押込み力を作用させることができるため、例えば地盤が強固であるような場合でも、探査棒を地中に容易に打ち込みながら地中埋設物を適確に探査することができる。
【００１３】
更に、請求項３記載の本発明は、請求項１記載の発明において、前記環状ガイド部材が、前記支持手段の形状に合わせて対応可能に構成されていることを要旨とする。
【００１４】
請求項３記載の本発明にあっては、環状ガイド部材が支持手段の形状に合わせて支持手段を囲んで収容し得るように対応可能に例えば、複数のネジ穴、あるいは長穴のネジ穴により調整可能に、あるいは着脱可能に構成されているため、地中埋設物に取り付けられている支持手段が単なる支線ロッドや支線ワイヤのようなものである場合は勿論のこと、支線アンカのようにロッドやワイヤに比べると複雑で少し大きめの構造であってもネジ穴を変更し、あるいは長穴をスライドさせ、さらには、アタッチメントを交換することにより、容易に収容することができる。
【００１５】
請求項４記載の本発明は、請求項１記載の発明において、前記探査棒の先端の先端部が地中に押し込められた場合の該先端部の深度を表す深度目盛りを有することを要旨とする。
【００１６】
請求項４記載の本発明にあっては、先端部の深度を表す深度目盛りが設けられているので、地中埋設物探査ツールで地中埋設部を検出した場合の先端部の深度をその深度目盛りから読み取ることにより、地中埋設物の埋設深度を容易に測定することができる。
【００１７】
また、請求項５記載の本発明は、地上に設けられている構造物を支持すべく一端が構造物に取り付けられ、他端が地中に延出し、地中内において地中埋設物である固定用支持物に取り付けられる支持手段が地中内において固定用支持物に所定の深さで適確に取り付けられているか否かを請求項１乃至４のいずれか１項に記載の地中埋設物探査ツールを用いて探査する地中埋設物探査方法であって、地中に延出している前記支持手段または支持手段に接続されている固定用支持物の一部の地中との境界部の側近の地中に対して前記地中埋設物探査ツールの探査棒の先端の先端部を前記ガイドパイプが支持手段または支持手段に接続されている固定用支持物の一部に対してほぼ平行となるように突き立て、このほぼ平行となったガイドパイプに取り付けられている前記環状ガイド部材内に前記支持手段または支持手段に接続されている固定用支持物の一部を囲むように環状ガイド部材内に収容して保持し、前記スライド押圧手段をガイドパイプの長手方向に沿って往復移動させる動作においてスライド押圧手段を探査棒の先端方向に向かって移動させるように押動した場合、スライド押圧手段がガイドパイプを探査棒の先端方向に向かって押圧し、この押圧で探査棒をその先端の先端部から地中奥に進入させ、この探査棒が地中奥に進入する過程において探査棒の先端の先端部が地中において固定用支持物と衝突したことによる衝撃を受けたことを探査棒の振動から感得して固定用支持物を検出することを要旨とする。
【００１８】
請求項５記載の本発明にあっては、地中埋設物探査ツールのガイドパイプに取り付けられている環状ガイド部材内に支持手段または固定用支持物の一部を囲むように収容保持して案内させながらスライド押圧手段を往復動作させることにより探査棒をその先端の先端部から地中奥に進入させて地中埋設物を探査しているため、地中埋設物探査ツールが地中埋設物に向かう所望の進路から外れることがなく、地中埋設物に向かって地中を適確に進行することができ、地中埋設物を迅速かつ効率的に検出することができ、ひいては地中埋設物が所定の深さで適確に取り付けられているか否かを判定することができる。
【００１９】
更に、請求項６記載の本発明は、請求項５記載の発明において、前記探査棒の先端の先端部の固定用支持物との衝突時点の該先端部の深度を前記深度目盛りから読み取ることにより、固定用支持物の埋設深度を推定することを要旨とする。
【００２０】
請求項６記載の本発明にあっては、先端部の深度を深度目盛りから読み取ることにより、地中埋設物探査ツールで地中埋設部を検出した場合の地中埋設物の埋設深度を深度目盛りから容易に測定することができる。
【００２１】
【発明の実施の形態】
以下、図面を用いて本発明の実施の形態を説明する。図１は、本発明の一実施形態に係る地中埋設物探査ツール１を支線アンカ７７の案内板７７ａに取り付けた状態で示している図である。
【００２２】
図１に示す探査ツール１は、詳しくは、図２に示すように、地中に突き刺さって地中奥に進入する先端部である矢尻部３ａが先端に設けられた探査棒３を有する。この探査棒３の矢尻部３ａに続く長手軸には該長手軸を覆うように筒状のガイドパイプ５が設けられ、このガイドパイプ５の先端部５ａは矢尻部３ａの後端の鍔部３ｂに当たって接触するように、すなわち当接するようになっている。
【００２３】
矢尻部３ａは、矢尻状に尖っているが、ノミ状に直線状（断面は矢尻状）であっても良い。ノミ状の場合、探査範囲を横方向に広げることができる。
【００２４】
また、ガイドパイプ５の周囲にはガイドパイプ５を部分的に覆い、かつ更にガイドパイプ５の長手方向にスライド移動し得るように筒状のスライド押圧手段７が設けられ、このスライド押圧手段７の後端部、すなわち探査棒３の矢尻部３ａから遠い方の後端部の内部には探査棒３に対してスライドし得るように重り７ａが取り付けられている。
【００２５】
そして、スライド押圧手段７がガイドパイプ５の長手方向に沿って探査棒３の矢尻部３ａのある先端方向に向かって移動するように押動された場合、スライド押圧手段７の重り７ａがガイドパイプ５の後端部５ｂに当たって、ガイドパイプ５を探査棒３の先端方向に押圧し、この押圧でガイドパイプ５の先端部５ａが探査棒３の矢尻部３ａの鍔部３ｂに当たり、これにより探査棒３をその先端の矢尻部３ａから地中奥へ進入させるように打ち込むことになる。
【００２６】
なお、スライド押圧手段７は、本実施形態では、ガイドパイプ５を覆う筒状に形成されるとともに、また重り７ａを有しているが、このような構造のものに限定されるものでなく、要はスライド押圧手段７がガイドパイプ５の長手方向に沿って探査棒３の矢尻部３ａのある先端方向に向かって移動するように押動された場合に、ガイドパイプ５を探査棒３の先端方向に押圧し、この押圧で探査棒３をその先端の矢尻部３ａから地中奥へ進入させるようになっていれば、どのような構造のものでもよいものである。
【００２７】
探査棒３は、矢尻部３ａと逆の後端部がガイドパイプ５およびスライド押圧手段７を貫通して、図では上方に延出している延出部を有しているが、この後端部の延出部にはスライド押圧手段７が抜け落ちないように膨出部３ｃが設けられている。
【００２８】
また更に、探査ツール１は、探査棒３の矢尻部３ａに近接したガイドパイプ５の先端部５ａの近傍においてガイドパイプ５に例えば溶接などで取り付けられた環状ガイド部材９を有する。
【００２９】
この環状ガイド部材９は、詳しくは、図３（ａ）に拡大して図示するように、一方がねじ９ａで閉じられた中空部または環状部を有するように形成され、例えば図１に示したように探査ツール１を支線ロッド７３に取り付ける場合には、支線ロッド７３がこの環状ガイド部材９の中空部または環状部内に囲まれるように収容保持され、これにより探査ツール１が支線ロッド７３から容易に外れないようになっている。これは、探査ツール１が地中に突き刺さって地中内を進行する場合に、探査ツール１が環状ガイド部材９を介して支線ロッド７３によって案内され、支線ロッド７３の埋設されている場所から外れないようにしているものである。
【００３０】
また、環状ガイド部材９は、図３（ｂ）に示すように、ねじ９ａが長穴に取り付けられ、ねじ９ａを長穴内で移動させることにより、環状ガイド部材９の中空部または環状部の大きさが調整可能になっていて、電柱７１をメッセンジャワイヤ８１を介して支持している支持手段である支線ロッド７３の形状に合わせて、支線ロッド７３を囲んで収容し得るようになっている。尚、環状ガイド部材９の形状は、図３に示す断面長方形に限らず円形等であっても良い。
【００３１】
なお、探査ツール１の例えば探査棒３上などの適当な箇所には、図示しないが、探査棒３の先端の矢尻部３ａが地中に押し込められた場合の該矢尻部３ａの埋設深度を表す深度目盛りが設けられ、この深度目盛りを見ることにより、矢尻部３ａがどの程度の深さまで地中深く進入したかを知ることができるようになっている。
【００３２】
更に、図２において探査ツール１の上方に冶具２１を図示するように、本実施形態においては、探査ツール１の探査棒３をその先端の矢尻部３ａから地中奥に押し込めるような押込み力を作用させることができる例えば油圧等を用いた押込み機械装置である冶具２１を探査棒３のガイドパイプ５およびスライド押圧手段７を貫通した上方の膨出部３ｃの設けられている延出部またはこの延出部の近辺または関連する例えばガイドパイプ５やスライド押圧手段７などに備えることができるようになっている。
【００３３】
この冶具２１は、ハンドル２１ａおよび接続部２１ｂを有し、この接続部２１ｂを例えば探査ツール１の探査棒３やガイドパイプ５またはスライド押圧手段７などの適当な部分、または探査ツール１のスライド押圧手段７を貫通して上方に延出した延出部などに取り付け、ハンドル２１ａを図２において点線で示す位置と実線で示す位置の間で操作することにより、探査棒３をその先端の矢尻部３ａから地中奥に押し込めるような押込み力を作用させることができるようになっている。
【００３４】
なお、冶具２１は、人力によるスライド押圧手段７の操作のみでは、探査棒３を地中奥に突き進ませることが困難な、例えば強固な地盤などの場合に使用することにより、油圧などの力で探査棒３を地中奥に容易に突き進ませることができるものである。
【００３５】
次に、以上のように構成される地中埋設物探査ツール１を用いた地中埋設物探査方法について説明する。
【００３６】
まず、図１および図４を参照して、支線アンカ７７を探査する場合について説明する。すなわち、支線アンカ７７は、図１に示すように、一端が電柱７１に取り付けられている支持手段である支線ロッド７３の地中７５に延出している他端に案内板７７ａが取り付けられているが、本実施形態では、図２に示した地中埋設物探査ツール１を用いて、支線ロッド７３が地中内において支線アンカ７７に所定の深さで適確に取り付けられているか否かを探査する。
【００３７】
そのために、まず探査ツール１は、地中に延出している支線ロッド７３が支線アンカ７７の案内板７７ａに取り付けられている近辺の地面を図１に示すように少し掘り下げて、支線ロッド７３に接続されている支線アンカ７７の一部である案内板７７ａの先端が例えば１５ｃｍ〜３０ｃｍ程度露出するまで周囲の地面を掘削し、支線ロッド７３または案内板７７ａの地中との境界部の側近の地中に探査ツール１の探査棒３の先端の矢尻部３ａをガイドパイプ５が支線ロッド７３または案内板７７ａに対してほぼ平行となるように突き立てる。
【００３８】
なお、このような地面の掘削や案内板７７ａの露出は、支線アンカ７７の案内板７７ａが支線ロッド７３に対してほぼ真っ直ぐに、すなわち支線ロッド７３の延出方向とほぼ同じ方向に埋設されているものであるため、必ずしも必要なものでなく、地中に延出している支線ロッド７３の地中との境界部の側近の地中に直接、すなわち地面を掘削したり、案内板７７ａを露出させることなく、探査ツール１の探査棒３の先端の矢尻部３ａをガイドパイプ５が支線ロッド７３に対してほぼ平行となるように突き立ててもよいものである。このようにすることにより、地面の掘削などの作業が不要となり、作業の迅速化および効率化を図ることができるが、現場の状況のよって本実施形態のように地面を掘削して、案内板７７ａを露出させてもよいものである。
【００３９】
次に、このように支線ロッド７３または案内板７７ａに対してほぼ平行にされたガイドパイプ５に取り付けられている環状ガイド部材９内に支線ロッド７３または案内板７７ａを囲むように環状ガイド部材９内に収容して保持する。
【００４０】
それから、探査ツール１のスライド押圧手段７をガイドパイプ５の長手方向に沿って往復動作させると、この往復動作においてスライド押圧手段７を探査棒３の先端方向に向かって移動させるように重り７ａの重力を用いて押動した場合、スライド押圧手段７がその重り７ａの重力によりガイドパイプ５を探査棒３の先端方向に向かって押圧し、この押圧で探査棒３をその先端の矢尻部３ａから、環状ガイド部材９を介して支線ロッド７３または案内板７７ａに沿うように案内しながら、地中奥に進入させるように打ち込む。
【００４１】
この打ち込み動作を繰り返すことにより、探査棒３は支線ロッド７３または案内板７７ａに沿って案内されながら矢尻部３ａから地中奥にどんどん進入していくことになるが、このように探査棒３の矢尻部３ａが地中奥へ進入していくと、図４に示すように、探査棒３の矢尻部３ａは地中において地中埋設物である支線アンカ７７の抵抗板７７ｂまたは安定板７７ｃと衝突することになるが、この衝突による衝撃は探査棒３の振動として、更には支線ロッド７３の振動としても伝達されてくるため、この探査棒３や支線ロッド７３の振動を感得することにより、地中埋設物の固定用支持物である支線アンカ７７がこの位置に埋設されていること、すなわち支線アンカ７７の抵抗板７７ｂまたは安定板７７ｃがこの位置に埋設されていることを適確に検出することができる。
【００４２】
そこで、この位置において、探査ツール１に形成されている深度目盛りを読み取ることにより、支線アンカ７７である固定用支持物の埋設深度を推定することができ、この埋設深度から支線アンカ７７が適切な深さに埋設されているか否かを判定することができる。
【００４３】
なお、上記打ち込み動作では、探査ツール１は、支線ロッド７３または支線アンカ７７の案内板７７ａを囲んで収容している環状ガイド部材９または探査棒３の矢尻部３ａを支点として図４においてＡ−Ｂで示すように遥動し得る構造となっているため、打ち込み動作が多少目標からずれていたとしても、地中埋設物の固定用支持物である支線アンカ７７の案内板７７ａに向かって適確に打ち込み動作が行われるようになっている。
【００４４】
次に、図５および図６を参照して、地中埋設物の固定用支持物が支線アンカ７７の代わりに支線ブロック７９である場合について説明する。
【００４５】
支線ブロック７９は、図５に示すように、コンクリートなどで形成されたものであって、このコンクリート製の支線ブロック７９に支線ロッド７３が直接取り付けられているものであるため、図１で示した支線アンカ７７のように途中で案内板７７ａが介入することがない。
【００４６】
まず探査ツール１は、地中に延出している支線ロッド７３の近辺の地面を図１の支線アンカ７７の場合と同様に少し掘り下げて、支線ロッド７３が地中から例えば１５ｃｍ程度露出するまで周囲の地面を掘削し、支線ロッド７３の地中との境界部の側近の地中に探査ツール１の探査棒３の先端の矢尻部３ａをガイドパイプ５が支線ロッド７３に対してほぼ平行となるように突き立てる。
【００４７】
なお、このような地面の掘削が必ずしも必要なものでないことは図１での説明と同じである。
【００４８】
次に、このように支線ロッド７３に対してほぼ平行にされたガイドパイプ５に取り付けられている環状ガイド部材９内に支線ロッド７３を囲むように環状ガイド部材９内に収容して保持する。
【００４９】
それから、探査ツール１のスライド押圧手段７をガイドパイプ５の長手方向に沿って往復動作させると、この往復動作においてスライド押圧手段７を探査棒３の先端方向に向かって移動させるように重り７ａの重力を用いて押動した場合、スライド押圧手段７がその重り７ａの重力によりガイドパイプ５を探査棒３の先端方向に向かって押圧し、この押圧で探査棒３をその先端の矢尻部３ａから、環状ガイド部材９を介して支線ロッド７３に沿うように案内しながら、地中奥に進入させるように打ち込む。
【００５０】
この打ち込み動作を繰り返すことにより、探査棒３は支線ロッド７３に沿って案内されながら矢尻部３ａから地中奥にどんどん進入していくことになるが、このように探査棒３の矢尻部３ａが地中奥へ進入していくと、図６に示すように、探査棒３の矢尻部３ａは地中において地中埋設物である支線ブロック７９と衝突することになるが、この衝突による衝撃は探査棒３の振動として、更には支線ロッド７３の振動としても伝達されてくるため、この探査棒３や支線ロッド７３の振動を感得することにより、地中埋設物の固定用支持物である支線ブロック７９がこの位置に埋設されていることを適確に検出することができる。
【００５１】
そこで、この位置において、探査ツール１に形成されている深度目盛りを読み取ることにより、支線ブロック７９の埋設深度を推定することができ、この埋設深度から支線ブロック７９が適切な深さに埋設されているか否かを判定することができる。
【００５２】
なお、上記打ち込み動作では、探査ツール１は、支線ロッド７３を囲んで収容している環状ガイド部材９または探査棒３の矢尻部３ａを支点として遥動し得る構造となっていて、打ち込み動作が多少目標からずれていたとしても、地中埋設物である支線ブロック７９に向かって適確に打ち込み動作が行われることは前記実施形態と同じである。
【００５３】
【発明の効果】
以上説明したように、本発明によれば、地中埋設物探査ツールは地中に突き刺さる矢尻部を有する探査棒を覆うようガイドパイプが設けられ、このガイドパイプに対してスライド移動し得るようにスライド押圧手段が設けられるとともに、ガイドパイプの先端近傍に取り付けられた環状ガイド部材で支持部材を囲むように収容して保持しながらスライド押圧手段の押動によるガイドパイプの押圧を介して探査棒をその先端の矢尻部から地中奥へ押圧する場合に環状ガイド部材が探査棒を支持手段に沿って地中奥へ案内するように構成されているので、地中埋設物の探査において地中埋設物探査ツールが地中埋設物に向かう所望の進路から外れることがなく、地中埋設物に向かって地中を適確に進行することができ、地中埋設物を迅速かつ効率的に検出することができ、ひいては地中埋設物が所定の深さで確実に取り付けられているか否かを適確に判定することができる。
【００５４】
また、本発明によれば、押込み機械装置を用いることにより、探査棒をその先端の矢尻部から地中奥に押し込めるような押込み力を作用させることができるので、例えば地盤が強固であるような場合でも、探査棒を地中に容易に打ち込みながら地中埋設物を適確に探査することができる。
【００５５】
更に、本発明によれば、環状ガイド部材が支持手段の形状に合わせて支持手段を囲んで収容し得るように調整可能に構成されているので、地中埋設物に取り付けられている支持手段が単なる支線ロッドや支線ワイヤのような単純なものである場合は勿論のこと、支線アンカのようにロッドやワイヤに比べると複雑で少し大きめの構造であっても容易に収容することができる。
【００５６】
本発明によれば、矢尻部の深度を表す深度目盛りが設けられているので、地中埋設物探査ツールで地中埋設部を検出した場合の矢尻部の深度をその深度目盛りから読み取ることにより、地中埋設物の埋設深度を容易に測定することができる。
【００５７】
また、本発明によれば、地中埋設物探査ツールのガイドパイプに設けられている環状ガイド部材内に支持手段または固定用支持物の一部を囲むように収容保持して案内させながらスライド押圧手段を往復動作させることにより探査棒をその先端の矢尻部から地中奥に進入させて地中埋設物を探査することができるので、地中埋設物探査ツールが地中埋設物に向かう所望の進路から外れることがなく、地中埋設物に向かって地中を適確に進行することができ、地中埋設物を迅速かつ効率的に検出することができ、ひいては地中埋設物が所定の深さで確実に取り付けられているか否かを適確に判定することができる。
【図面の簡単な説明】
【図１】本発明の一実施形態に係る地中埋設物探査ツールを支線アンカの案内板に取り付けた状態で示す図である。
【図２】図１に示す地中埋設物探査ツールの詳細な構造を示す断面図である。
【図３】図２に示す地中埋設物探査ツールのガイドパイプに取り付けられている環状ガイド部材を示す図である。
【図４】図１に示した地中埋設物探査ツールが地中深く進入して支線アンカの案内板に衝突した状態を示す図である。
【図５】図２に示した地中埋設物探査ツールを支線ブロックに固定された支線ロッドに取り付けた状態で示す図である。
【図６】図５に示した地中埋設物探査ツールが地中深く進入して支線ブロックに衝突した状態を示す図である。
【図７】電柱を支持している支線ロッドと支線アンカを示す図である。
【図８】電柱を支持している支線ロッドと支線ブロックを示す図である。
【符号の説明】
１  地中埋設物探査ツール
３  探査棒
３ａ  探査棒の矢尻部
３ｂ  探査棒の鍔部
５  ガイドパイプ
７  スライド押圧手段
７ａ  重り
９  環状ガイド部材
２１  冶具
７１  電柱
７３  支線ロッド
７７  支線アンカ
７７ａ  案内板
７９  支線ブロック
８１  メッセンジャワイヤ
【図１】
0003717853.tif 000002
【図２】
0003717853.tif 000003
【図３】
0003717853.tif 000004
【図４】
0003717853.tif 000005
【図５】
0003717853.tif 000006
【図６】
0003717853.tif 000007
【図７】
0003717853.tif 000008
【図８】
0003717853.tif 000009